(57)【特許請求の範囲】
【請求項１】
硬質プリント基板、もしくは、フレキシブルプリント基板上に形成されている回路と接続用フレキシブルプリント基板上に形成されている回路とを電気的に接続するフレキシブルプリント基板接続用コネクタにおいて、
コネクタ本体と、
上記接続用フレキシブルプリント基板に電気的に接続される複数の接続端子が所定の方向に配列されてなる接続端子列と、
上記接続用フレキシブルブルプリント基板を上記コネクタ本体に保持する位置と、開放する位置とに移動可能なロック部材と、
を具備し、
上記ロック部材を上記開放位置にした際に、上記接続端子配列方向における上記コネクタ本体の一端部側から上記接続用フレキシブルプリント基板を挿脱可能であるとともに、上記接続端子配列方向に直交する方向から上記接続用フレキシブルプリント基板を挿脱可能なことを特徴とするフレキシブルプリント基板接続用コネクタ。
【請求項２】
上記ロック部材は回動させることにより上記コネクタ本体に対して変位可能であって、上記ロック部材の内部に上記接続用フレキシブルプリント基板との上記接続端子を配置し、上記ロック部材は、開放する位置に位置するとき、上記接続用フレキシブルプリント基板の挿入経路から上記接続端子を離間させることを特徴とする請求項１に記載のフレキシブルプリント基板接続用コネクタ。
【請求項３】
上記接続端子配列方向における上記コネクタ本体の一端側であって、上記接続端子配列方向に沿って上記接続用フレキシブルプリント基板を挿入する挿入口側に形成される突起部を具備し、
上記突起部は、上記接続用フレキシブルプリント基板の挿脱途中において当該接続用フレキシブルプリント基板と当接することにより、上記接続用フレキシブルプリント基板を上記接続端子列から離間させる方向に傾斜させることで、上記接続端子列と上記接続用フレキシブルプリント基板とが接触することがないように突出して形成されることを特徴とする請求項１に記載のフレキシブルプリント基板接続用コネクタ。
【請求項４】
挿入する側の上記接続用フレキシブルプリント基板の先端部に凸部を設け、上記接続用フレキシブルプリント基板の固定時に上記凸部が上記フレキシブルプリント基板接続用コネクタの上記突起部と嵌合するようにしたことを特徴とする請求項３に記載のフレキシブルプリント基板接続用コネクタに接続される接続用フレキシブルプリント基板。
【発明の詳細な説明】
【０００１】
【発明の属する技術分野】
本発明は、機器装置内に配設されるフレキシブルプリント基板接続用コネクタおよび接続用フレキシブルプリント基板の構造に関する。
【０００２】
【従来の技術】
近年、電子機器の小型化に伴い、内蔵の電気回路が実装されている電気基板も小型化が進み、電気基板同士を電気的に接続するために様々なコネクタ構造が提供されている。
【０００３】
例えば、図１６は、従来の縦型フレキシブルプリント基板接続用コネクタと接続用フレキシブルプリント基板の接続挿入状態を示す斜視図である。図１８は、上記図１６の従来の縦型フレキシブルプリント基板接続用コネクタを適用する上記電子機器の１つであるコンパクトカメラの外観を示す斜視図であり、図１９は、上記図１８のカメラ内部の縦型プリント基板コネクタ周りを示す図１８のＡ−Ａ断面図である。
【０００４】
上記図１６に示す従来の縦型フレキシブルプリント基板接続用コネクタ（以下、ＦＰＣコネクタと記載する）１０２は、硬質プリント基板（以下、硬質基板と記載する）１０１上に直立して実装されている。上記ＦＰＣコネクタ１０２に挿入、接続される接続用フレキシブルプリント基板（以下、接続用ＦＰＣと記載する）１０３には、先端接続部に接続パターンが設けられ、さらに、その先端接続部は、挿入時に変形せず、かつ、接続パターンとコネクタ側接続端子列との接触圧を確保するための補強基板１０４を貼り合わせた２重構造になっている。上記ＦＰＣ１０３をＦＰＣコネクタ１０２に接続する場合、コネクタ側端子列の並び方向と直交するＣ1 方向（基板垂直方向）から挿入して上記接続パターン面を上記コネクタ端子列に接触させた後、固定部材１０２ａを押圧してＦＰＣ１０３を固定し接続状態とする。
【０００５】
図１８に示される上記従来の縦型ＦＰＣコネクタ１０２を適用するカメラ１においては、カメラ前カバー部２ａに撮影レンズ３と、ストロボ窓７と、レリーズ操作釦４等が配置されており、カメラ後カバー部２ｂにＬＣＤ表示部５と、モード設定スイッチ釦６等が配置されている。
【０００６】
そして、図１８のＡ−Ａ断面を示す図１９に示すようにモード設定スイッチ釦６の下部には、硬質基板１０１が配置されている。硬質基板１０１の実装面には、電子部材１３と縦型ＦＰＣコネクタ１０２が実装されている。上記ＦＰＣコネクタ１０２には、図示しないメイン基板に対して制御信号、撮影モード等の設定のためのスイッチ信号出力などを伝達するための接続用ＦＰＣ１０３が接続されている。
【０００７】
一方、図１７に示す従来の横型ＦＰＣコネクタ１０６は、硬質基板１０５の実装面に平行な状態で実装されている。上記ＦＰＣコネクタ１０６に挿入、接続される接続用ＦＰＣ１０７も先端接続部に接続パターン面が設けられ、かつ、その先端接続部は補強基板１０８が貼り合わせた２重構造になっている。上記ＦＰＣ１０７をＦＰＣコネクタ１０６に接続する場合、コネクタ端子列の並び方向と直交するＣ2 方向（基板平行方向）から挿入して上記接続パターン面を接触させた後、固定部材１０６ａを押圧して固定し接続状態とする。
【０００８】
【発明が解決しようとする課題】
しかしながら、図１９に示すようにカメラ１に上記図１６の従来のＦＰＣコネクタ１０２を適用し、硬質基板をカメラ本体８に固定後、接続用ＦＰＣ１０３を接続する場合には、補強基板１０４の硬度が高く屈曲しづらいことから、ＦＰＣコネクタ１０２の挿入口の下側に補強基板１０４の長さ以上の空きスペースＳ0 がＦＰＣコネクタ１０２とカメラ本体間に必要となる。この空きスペースＳ0 は、カメラの小型化の障害になっていた。
【０００９】
一方、予め硬質基板１０１と接続用ＦＰＣ１０３とを接続後、カメラ本体８に固定する方法を採用する場合、上記空きスペースＳ0 は不要となる。しかし、組み立て手順が規制される。さらに、接続用ＦＰＣ１０３には、撮影枚数等を表示するＬＣＤ表示部５などの電気部品が実装されている場合が多い。その接続用ＦＰＣ１０３がコネクトされた状態の硬質基板１０１をカメラ本体８に固定するときに上記電気部品が邪魔になり、配設部品を傷付けたりすることがある。また、分解修理時には、接続用ＦＰＣ１０３を分離する場合、空きスペースＳ0 がないために、本来、外す必要のない硬質基板１０１をカメラ本体８から外してから接続用ＦＰＣ１０３をＦＰＣコネクタ１０２から外すことになる。したがって、分解工数が増加し、コストアップを招く。
【００１０】
本発明は、上述した事情に鑑みなされたもので、接続用ＦＰＣを硬質基板、もしくは、ＦＰＣに電気的に接続するための機器のデッドスペースが最小限に抑えられ、かつ、接続，分離作業が容易であるフレキシブルプリント基板接続用コネクタおよび接続用フレキシブルプリント基板を提供することを目的とする。
【００１１】
【課題を解決するための手段】
本発明では、上記の目的を達成するために、請求項１記載のフレキシブルプリント基板接続用コネクタは、硬質プリント基板、もしくは、フレキシブルプリント基板上に形成されている回路と接続用フレキシブルプリント基板上に形成されている回路とを電気的に接続するフレキシブルプリント基板接続用コネクタにおいて、コネクタ本体と、上記接続用フレキシブルプリント基板に電気的に接続される複数の接続端子が所定の方向に配列されてなる接続端子列と、上記接続用フレキシブルブルプリント基板を上記コネクタ本体に保持する位置と、開放する位置とに移動可能なロック部材と、を具備し、上記ロック部材を上記開放位置にした際に、上記接続端子配列方向における上記コネクタ本体の一端部側から上記接続用フレキシブルプリント基板を挿脱可能であるとともに、上記接続端子配列方向に直交する方向から上記接続用フレキシブルプリント基板を挿脱可能である。
【００１２】
本発明の請求項２記載のフレキシブルプリント基板接続用コネクタは、請求項１に記載のフレキシブルプリント基板接続用コネクタにおいて、上記ロック部材は回動させることにより上記コネクタ本体に対して変位可能であって、上記ロック部材の内部に上記接続用フレキシブルプリント基板との上記接続端子を配置し、上記ロック部材は、開放する位置に位置するとき、上記接続用フレキシブルプリント基板の挿入経路から上記接続端子を離間させる。
【００１３】
本発明の請求項３記載のフレキシブルプリント基板接続用コネクタは、請求項１に記載のフレキシブル基板接続用コネクタにおいて、上記接続端子配列方向における上記コネクタ本体の一端側であって、上記接続端子配列方向に沿って上記接続用フレキシブルプリント基板を挿入する挿入口側に形成される突起部を具備し、上記突起部は、上記接続用フレキシブルプリント基板の挿脱途中において当該接続用フレキシブルプリント基板と当接することにより、上記接続用フレキシブルプリント基板を上記接続端子列から離間させる方向に傾斜させることで、上記接続端子列と上記接続用フレキシブルプリント基板とが接触することがないように突出して形成される。
【００１４】
本発明の請求項４記載の接続用フレキシブルプリント基板は、請求項３記載のフレキシブルプリント基板接続用コネクタに接続される接続用フレキシブルプリント基板であって、挿入する側の上記接続用フレキシブルプリント基板の先端部に凸部を設け、上記接続用フレキシブルプリント基板の固定時に上記凸部が上記フレキシブルプリント基板接続用コネクタの上記突起部と嵌合する。
【００１６】
【発明の実施の形態】
以下、本発明の実施の形態を図に基づいて説明する。
図１は、本発明の第１の実施形態のフレキシブルプリント基板用コネクタと接続用フレキシブルプリント基板の斜視図であり、接続用フレキシブルプリント基板装着前にロック部材を開放した状態を示す。図２は、上記フレキシブルプリント基板用コネクタと接続用フレキシブルプリント基板の分解斜視図である。図３は、フレキシブルプリント基板用コネクタに接続用フレキシブルプリント基板を接続した状態での斜視図であり、図４は、図３のＹ−Ｙ断面図である。
【００１７】
本実施形態のフレキシブルプリント基板接続用コネクタ（以下、ＦＰＣコネクタと記載する）２０は、図１，２に示すように硬質プリント基板（以下、硬質基板と記載）３１に対して直立状態で半田付けにより実装される。このＦＰＣコネクタ２０により硬質基板３１側に形成、または、実装された電気回路と、上記ＦＰＣコネクタ２０に装着される接続用フレキシブルプリント基板（以下、接続用ＦＰＣと記載）２５側に形成、または、実装される電気回路との電気的接続が行われる。
【００１８】
上記ＦＰＣコネクタ２０は、主にコネクタ本体２１と、ロック手段であるロック部材２２と、コネクタ本体２１に保持される複数の接続端子板２４とを有してなる。
【００１９】
上記コネクタ本体２１には、ＦＰＣ挿入面２１ｆ上に接続接点数に対応する複数の端子収納凹部２１ａと、本体底面部上にＦＰＣ先端ガイド面２１ｃと、ＦＰＣ挿入方向（Ｈ′方向）奥側端にＦＰＣ突き当て面２１ｄと、本体上方幅方向両端部に段状の係止部２１ｂと、本体下側に固着され、Ｈ方向に沿った支持軸２３とが設けられる。
【００２０】
なお、上記複数の端子収納凹部２１ａは、硬質基板３１の実装面に直交するＦＰＣ挿入面２１ｆ上に設けられ、その凹部２１ａには、後述する各接続端子板２４が後述するＨ方向（水平方向）に沿って配置され、組み込まれる。
【００２１】
上記ロック部材２２は、コネクタ本体２１の支持軸２３に回動可能に支持される部材であり、内面上の接続端子列に対向する位置にてＨ方向に延び、接続用ＦＰＣ２５の接続パターン背面を押圧するための凸部２２ｃと、上部のＨ方向両端部に突出する爪部２２ｂと、支持軸穴２２ｄとが設けられる。
【００２２】
上記接続端子板２４は、導電材料で形成され、接続用ＦＰＣ２５の接続パターン部２５ａと接触可能な凸状のＦＰＣ接点部２４ａと、硬質基板３１のコネクタ接続パターンに半田付けされる基板端子部２４ｂとを有してなり、コネクタ本体２１の端子収納凹部２１ａ内に固定保持される（図４）。
【００２３】
上記接続端子板２４の接点部２４ａは、接続接点数分のものがコネクタ本体２１のＦＰＣ挿入面２１ｆから僅かな寸法だけ突出した状態で露出して配置され、コネクタ本体２１の幅方向のＨ方向に沿った端子列（接続端子の配列）２４ｃを形成する。
【００２４】
上記接続端子板２４の各接点部２４ａは、ロック部材２２が閉位置まで回動されると、凸部２２ｃによりＦＰＣ２５側の補強基板２６を介して押圧され、僅かに弾性変形して変位するので、各接点部２４ａは、電気接続のための適正な接触圧で接続用ＦＰＣ２５の接続パターン２５ａに接触する。なお、ＦＰＣコネクタ２０の硬質基板への実装状態では、上記端子列２４ｃの方向であるＨ方向は、硬質基板３１の実装面と平行になる。
【００２５】
上記接続用ＦＰＣ２５には、先端接続部分に接続接点数分の複数の接続パターン２５ａが設けられ、接続パターン２５ａの裏面側に補強基板２６が貼付されている。上記複数の接続パターン２５ａは、接続パターン列に沿って配置されており、接続用ＦＰＣ２５は、上記接続パターン列の並びの方向（Ｈ方向）に対して垂直方向に沿って延出する。
【００２６】
なお、上記接続用ＦＰＣ２５は、適用されるカメラ等の機器の電気回路基板の構成によって他端部が図示しないメイン制御ＦＰＣに接続されるか、メイン制御基板ＦＰＣと一体のＦＰＣであるか、あるいは、ＬＣＤやスイッチ等が実装されるＦＰＣである。
【００２７】
上述の構成を有する本実施形態のＦＰＣコネクタ２０に接続用ＦＰＣ２５を接続するには、まず、硬質基板３１上に直立して実装されたＦＰＣコネクタ２０のロック部材２２を図１に示すように開放状態（ロック解除状態）とする。接続用ＦＰＣ２５の先端接続部を上記Ｈ方向と平行なＨ′方向（水平方向）に沿ってコネクタ本体２１とロック部材２２の間にスライド挿入する。そのとき、接続用ＦＰＣ２５の先端面をコネクタ本体２１のＦＰＣ先端ガイド面２１ｃ上をスライドさせながら挿入し、接続用ＦＰＣ２５の側面をＦＰＣ突き当て面２１ｄに突き当てる。その突き当て状態でロック部材２２を閉方向に回動操作し、図３に示すように爪２２ｂをコネクタ本体２１の係止部２１ｂに係合させてロックすると、コネクタ接続状態となる。
【００２８】
上記コネクタ接続状態では、接続用ＦＰＣ２５は、幅方向がロック部材２２の幅方向段部２２ｅにより位置決めされ、かつ、図４の断面図に示すように接続パターン２５ａの列の裏面部分の補強基板２６がロック部材２２の凸部２２ｃで押圧される。したがって、接続パターン２５ａが接続端子板２４の接点部２４ａに位置精度良く対向して圧接し、接続パターン２５ａと接点部２４ａとの確実な電気的接続状態が得られる。そして、硬質基板３１に形成される回路、または、実装電気回路の各ラインが接続用ＦＰＣ２５の対応する各ラインにそれぞれ接続される。
【００２９】
上記接続状態にあるＦＰＣコネクタ２０から接続用ＦＰＣ２５を取り外す場合は、ロック部材２２の爪２２ｂを解放して図１のロック部材開放状態とする。この状態で接続用ＦＰＣ２５は、反Ｈ′方向に沿って抜き取ることができる。
【００３０】
上述のコネクタ接続，離脱方法では、上記ＦＰＣコネクタ２０に対して接続用ＦＰＣ２５を端子列の並び方向であるＨ方向の平行なＨ′方向（水平方向）に沿って挿入、または、取り外したが、これに限らず、接続用ＦＰＣ２５の先端接続部をＨ方向と直交するＪ方向（垂直方向）に沿って挿脱し、接続、または、離脱することも可能である。
【００３１】
上述した本実施形態のＦＰＣコネクタ２０によれば、接続用ＦＰＣ２５をＦＰＣコネクタ２０に着脱する場合、硬質基板３１と平行な方向（Ｈ方向）に沿って接続用ＦＰＣ２５の先端接続部をスライド移動させることより、接続用ＦＰＣ２５の装着、あるいは、取り外しが可能である。したがって、硬質基板３１の実装面方向（厚み方向）に接続用ＦＰＣ２５を引き抜くスペ−スが採れない場合であっても上記硬質基板３１の機器本体への取り付け状態のままで接続用ＦＰＣ２５を硬質基板３１の実装面に沿って挿入してＦＰＣコネクタ２０に接続させたり、あるいは、引き抜いて取り外すことができる。
【００３２】
また、接続用ＦＰＣ２５をＦＰＣコネクタ２０に挿脱するとき、ロック部材２２を開放した状態で接続用ＦＰＣ２５を挿入するので接点部まわりには挿入スペ−スが十分あり、接続用ＦＰＣ２５を傷つけたり、変形させたりする危険性がない。
【００３３】
また、本実装形態のＦＰＣコネクタ２０は、接続用ＦＰＣ２５を上記Ｈ′方向、または、上記Ｊ方向に沿って挿脱することができるので、ＦＰＣコネクタ２０の配設位置の状況に応じて適切な接続用ＦＰＣ２５の挿脱方向を選択することができる。
【００３４】
図５は、本実施形態のＦＰＣコネクタを適用した硬質基板をカメラに組み付けたときのＦＰＣコネクタ周りの断面図である。本図に示すカメラ３０は、前記図１８に示したカメラ１と同様の構成を有し、ＦＰＣコネクタ周りの構造が異なっている。以下、異なる部分について説明する。
【００３５】
上記カメラ３０内に配置される硬質基板３１には、ＦＰＣコネクタ２０が実装され、接続用ＦＰＣ２５が接続される。そして、接続用ＦＰＣ２５は、補強基板２６端部の位置で折り曲げて配置される。
【００３６】
上記硬質基板３１をカメラ本体３２に固着したままの状態で上記接続用ＦＰＣ２５をＦＰＣコネクタ２０に着脱する場合、接続用ＦＰＣ２５を必ずしも硬質基板３１の実装面と直交するＪ方向に移動させる必要がなく、Ｈ方向と平行な方向（図１）、すなわち、図５上で紙面に垂直な方向にスライドさせて着脱することができる。したがって、硬質基板３１の実装面側のスペ−スを前記図１９に示した従来のＦＰＣコネクタ１０２を適用した場合に比較してより狭いスペ−スＳ1 を採用することができ、カメラ等の機器の小形化が可能になる。
【００３７】
次に、本発明の第２実施形態のフレキシブルプリント基板接続用コネクタであるＦＰＣコネクタについて、図６〜８を用いて説明する。
図６は、本実施形態のＦＰＣコネクタと接続用ＦＰＣの分解斜視図である。図７は、ロック部材開放状態での上記ＦＰＣコネクタに接続用ＦＰＣを挿入した状態での断面図である。図８は、上記ＦＰＣコネクタに接続用ＦＰＣを接続した状態を示す斜視図である。
【００３８】
本実施形態のＦＰＣコネクタ４０は、前記第１実施形態のＦＰＣコネクタ２０に対してさらに接続用ＦＰＣの挿入性を向上させたものであり、以下、特に第１実装形態のＦＰＣコネクタ２０と異なる部分について説明する。
【００３９】
本実装形態のＦＰＣコネクタ４０は、図６〜８に示すように硬質基板４９に対して直立状態で実装されるコネクタであり、主にコネクタ本体４１と、ロック手段であるロック部材４２と、コネクタ本体４１に保持される複数の接続端子板４４とを有してなる。
【００４０】
上記コネクタ本体４１には、前記コネクタ本体２１と同様に複数の端子収納凹部４１ａと、本体幅方向両端上部に段状の係止部４１ｂと、本体下側に固着されるＨ方向に沿った支持軸４３とが設けられ、特に、コネクタ本体４１には、本体底面部上にＦＰＣ先端ガイド溝４１ｃと、ＦＰＣ挿入方向（Ｈ′方向）奥部にＪ方向に沿ったＦＰＣ側面ガイド溝４１ｄと、Ｈ方向のＦＰＣ挿入口側にＦＰＣガイド突起部４１ｅとが設けられる。
【００４１】
なお、上記側面ガイド溝４１ｄは、接続用ＦＰＣ４５の挿入時の傾きに合わせて上方が幅広状になっている。また、上記ＦＰＣガイド突起部４１ｅも挿入時の傾き状態の接続用ＦＰＣ４５が当接しない程度の高さになっている。上記接続用ＦＰＣ４５の挿入時の傾きは、接続用ＦＰＣ４５が接続端子４４の接点部４４ａと接触させないための傾きである。
【００４２】
上記ロック部材４２は、コネクタ本体４１の支持軸４３に回動可能に支持される部材であり、前記ロック部材２１と同様に接続用ＦＰＣ４５の接続パターン背面を押圧する凸部４２ｃと、上部のＨ方向両端部に突出する爪部４２ｂと、支持軸穴４２ｄとが設けられ、特にこのロック部材４２には、コネクタ本体４１のガイド突起部４１ｅが嵌入可能な切り欠き４２ｅが設けられる。
【００４３】
上記接続端子板４４は、導電材料で形成され、前記接続端子板２４と同様に凸状のＦＰＣ接点部４４ａと、基板端子部４４ｂとを有してなり、コネクタ本体４１の端子収納凹部４１ａ内に固定保持される（図７）。
【００４４】
上記接続端子板４４の接点部４４ａも同様に接続接点数分のものがコネクタ本体４１のＦＰＣ挿入面から僅かな寸法だけ突出した状態で露出して配置され、コネクタ本体４１の幅方向のＨ方向に沿った端子列（接続端子の配列）４４ｃを形成する。
【００４５】
上記接続用ＦＰＣ４５は、前記接続用ＦＰＣ２５と同様に接続接点数分の接続パターン４５ａを有し、接続パターン４５ａの裏面側に補強基板４６が貼付されている。特に、接続用ＦＰＣ４５の挿入側の接続先端部には、接続パターン４５ａの位置より先端寄りであって、幅方向の反挿入側（反Ｈ′側）に突出する側方凸部４５ｂが設けられている。
【００４６】
上述の構成を有する本実施形態のＦＰＣコネクタ４０に接続用ＦＰＣ４５を接続するには、まず、硬質基板４９上に直立して実装されたＦＰＣコネクタ４０のロック部材４２を開放状態（ロック解除状態）とする。接続用ＦＰＣ４５の先端接続部をコネクタ本体４１とロック部材４２の間に上記Ｈ方向と平行なＨ′方向（水平方向）に沿ってスライド挿入する。
【００４７】
上記挿入状態では、図７に示すように接続用ＦＰＣ４５は、コネクタ本体４１のＦＰＣガイド突起部４１ｅによって接点部４４ａから離間した状態で僅かに傾いた状態に保たれ、かつ、先端がコネクタ本体４１のＦＰＣ先端ガイド溝４１ｃにガイドされる。このように接続用ＦＰＣ４５を所定の角度傾斜させて挿入することによって、接続用ＦＰＣ４５を接続端子板の接点部４４ａに引っ掛けることなく挿入することができる。
【００４８】
そして、接続用ＦＰＣ４５が幅方向限度位置まで挿入され、その側面がＦＰＣ側面ガイド溝４１ｄに嵌入、突き当たると、接続用ＦＰＣ４５の全幅がＦＰＣ側面ガイド溝４１ｄとＦＰＣガイド突起部４１ｅの内面との間に位置する。
【００４９】
上記接続用ＦＰＣ４５のコネクタ本体４１への挿入、位置決め後、ロック材４２を閉位置まで回動操作して図８に示すように爪４２ｂをコネクタ本体４１の係止部４１ｂに係合させてロックすると、コネクタ接続状態となる。
【００５０】
上記コネクタ接続状態では、接続用ＦＰＣ４５の側方凸部４５ｂがコネクタ本体４１のＦＰＣガイド突起部４１ｅの下端面で係止されるので接続用ＦＰＣ４５のＪ方向の抜けが確実に防止される（図８）。
【００５１】
上記接続状態にあるＦＰＣコネクタ４０から接続用ＦＰＣ４５を取り外す場合は、ロック部材４２の爪４２ｂを外し、コネクタロック部材開放状態とする。この状態で接続用ＦＰＣ４５は、反Ｈ′方向に沿って抜き取ることができる。
【００５２】
上述のコネクタ接続，離脱方法では、上記ＦＰＣコネクタ４０に対して接続用ＦＰＣ４５を端子列４４ｃの並び方向であるＨ方向の平行なＨ′方向（水平方向）に挿入したが、これに限らず、接続用ＦＰＣ４５の先端接続部をＨ方向と直交するＪ方向（垂直方向）に沿って挿脱し、接続、または、離脱することも可能である。
【００５３】
上述した本実施形態のＦＰＣコネクタ４０によれば、前記第１の実装形態のＦＰＣコネクタ２０の場合と同様の効果を奏する。特に本実施形態のＦＰＣコネクタ４０の場合は、接続用ＦＰＣ４５の挿脱時、コネクタ本体４１のＦＰＣガイド突起部４１ｅとＦＰＣ先端ガイド溝４１ｃとＦＰＣ側面ガイド溝４１ｄとでガイドされることから接続用ＦＰＣ４５を接続端子板４４の接点部４４ａに引っ掛けることなく容易に接続用ＦＰＣ４５を挿入、または、抜き取ることができる。
【００５４】
また、コネクタ接続状態では接続用ＦＰＣ４５の側方凸部４５ｂがコネクタ本体４１のＦＰＣガイド突起４１ｅの下面で位置規制されているので接続用ＦＰＣ４５のＪ方向の抜けが防止される。
【００５５】
なお、上記側方凸部４５ｂによる抜け防止機能は、ロック部材４２が開位置にあるときも働く。例えば、前記図５に示したように硬質基板の実装面が下向きになるような上記ＦＰＣコネクタ４０を適用した場合、接続用ＦＰＣ４５をＦＰＣコネクタ４０にスライド挿入した時点で未だロック部材４２を閉止していない状態のときでも、接続用ＦＰＣ４５の側方凸部４５ｂがコネクタ本体４１のＦＰＣガイド突起４１ｅに係止された状態にあるので接続用ＦＰＣ４５が抜け落ちることがない。
【００５６】
また、本実装形態のＦＰＣコネクタ４０は、接続用ＦＰＣ４５を上記Ｈ′方向、または、上記Ｊ方向に沿って挿脱することができるので、ＦＰＣコネクタ４０の配設位置の状況に応じて適切な接続用ＦＰＣ４５の挿脱方向を選択することができる。
【００５７】
次に、本発明の第３実装形態のＦＰＣコネクタについて、図９，１０を用いて説明する。
図９は、本実装形態のＦＰＣコネクタの接続用ＦＰＣ挿入状態での断面図である。図１０は、ロック部材を閉じた接続状態でのＦＰＣコネクタの断面図である。
【００５８】
本実装形態のＦＰＣコネクタ５０も接続用ＦＰＣ５６を接続端子の接点部の配列の並びの方向に挿入することが可能なＦＰＣコネクタであり、接続用ＦＰＣ５６のコネクタへの挿入操作性を改善するものである。
【００５９】
本実装形態のＦＰＣコネクタ５０は、図９，１０に示すように硬質基板５９に直立状態で実装されるコネクタであり、主にコネクタ本体５２と、ロック手段であるロック部材５１と、ロック部材５１に保持される複数の接続端子板５４と、コネクタ本体５２に保持される複数の基板端子板５５とを有してなる。
【００６０】
上記コネクタ本体５２には、下方部に上記複数の基板端子板５５と支持軸５３が固着して配置されており、上記支持軸５３の上方部に接続用ＦＰＣ５６が挿入時にスライドガイドされるガイド溝５２ｆと、接続用ＦＰＣ５６の接続パターンの背面側に当接可能な凸部５２ｃと、幅方向の端部に接続用ＦＰＣ５６の当接面５２ｅと、さらに、ロック部材５１を係止するための係止部（図示せず）等が設けられている。
【００６１】
上記基板端子板５５は、導電材料で形成され、基板端子部５５ｂを有しており、硬質基板５９の接続パターン部に半田付けにより固定される。
【００６２】
上記ロック部材５１は、上記支持軸５３により回動自在に支持されており、ロック部材５１のコネクタ本体５２側凹部５１ａに複数の接続端子板５４が固着され、また、上端部に図示しない係止用爪が設けられる。
【００６３】
上記複数の接続端子板５４は、導電材料で形成されており、接点部５４ａと、接触バネ部５４ｂとを有しており、ロック部材５１に固定支持される。上記接触バネ部５４ａは、基板端子板５５に摺接して、常時接触するようにバネ性を有する部分である。上記接点部５４ａは、接続用ＦＰＣ５６の接続パターンに接触可能な接点部であり、支持軸５３と平行な方向に沿った端子列（接続端子の配列）を形成する。
【００６４】
上記接続用ＦＰＣ５６は、前記接続用ＦＰＣ２５と同様に接続接点数分の接続パターンを有し、接続パターンの裏面側に補強基板５７が貼付されている。
【００６５】
上述の構成を有する本実施形態のＦＰＣコネクタ５０に接続用ＦＰＣ５６を接続するには、まず、硬質基板５９上に直立して実装されたＦＰＣコネクタ５０のロック部材５１を開放状態（ロック解除状態）とする。接続用ＦＰＣ５６の先端接続部を端子列方向の並び方向（水平方向）に沿ってコネクタ本体５２とロック部材５１の間のガイド溝５２ｆ上をスライド挿入させる（図９）。
【００６６】
そして、接続用ＦＰＣ５６の幅方向端部をＦＰＣ当接面５２ｅに当て付けた状態でロック部材５１を閉位置まで回動させ、ロック状態とすると、接点部５４ａが接続用ＦＰＣ５６の接続パターンの当接する。接続用ＦＰＣ５６の接続パターン裏面側がコネクタ本体５２の凸部５２ｃで支えられているので上記接点部５４ａと接続パターンが確実に接触し、コネクタ接続状態が得られる（図１０）。
【００６７】
上記接続状態にあるＦＰＣコネクタ５０から接続用ＦＰＣ５６を取り外す場合は、ロック部材５１を開放状態とする。この状態で接続用ＦＰＣ５６は、反挿入方向に沿って抜き取ることができる。
【００６８】
上述のコネクタ接続，離脱方法では、上記ＦＰＣコネクタ５０に対して接続用ＦＰＣ５６を端子列の並び方向に平行な方向に挿入したが、これに限らず、接続用ＦＰＣ５６の先端接続部を端子列の並び方向に垂直方向に沿って挿脱し、接続、または、離脱することも可能である。
【００６９】
また、上記ロック部材５１、または、コネクタ本体５２に接続用ＦＰＣ５６の幅方向の位置決めのための凹部、または、突起を設けたり、あるいは、接続用ＦＰＣ５６の側方に突出する凸部等を設けることによって、接続用ＦＰＣ５６の位置ずれや抜け防止構造を同時に盛り込むこともできる。
【００７０】
上述した本実施形態のＦＰＣコネクタ５０によれば、接続ＦＰＣ５６をコネクタに挿入する場合、接点部５４ａを有する接続端子５４を保持しているロック部材５１を開放状態にするので、接続ＦＰＣ５６の挿入経路から接点部５４ａが離れている。したがって、接続用ＦＰＣ５６と接点部５４ａとが引っ掛かるなどで接続用ＦＰＣ５６の挿入の妨げられず、コネクタ接続作業が容易になる。
【００７１】
また、本実装形態のＦＰＣコネクタ５０は、接続用ＦＰＣ５６を上記端子列の並び方向に沿っう方向、または、上記その方向と直交する方向に沿って挿脱することができるので、ＦＰＣコネクタ５０の配設位置の状況に応じて適切な接続用ＦＰＣ５６の挿脱方向を選択することができる。
【００７２】
次に、本発明の第４実施形態のフレキシブルプリント基板接続用コネクタであるＦＰＣコネクタについて、図１１〜１５を用いて説明する。
図１１は、本実施形態のＦＰＣコネクタに接続用ＦＰＣを接続した状態を示す斜視図である。図１２は、上記ＦＰＣコネクタのコネクタ本体の斜視図である。図１３は、上記ＦＰＣコネクタにおいて、コネクタ本体に対するロック部材の開放状態を図１２のＤ方向から見た図である。図１４は、上記ＦＰＣコネクタにおいて、コネクタ本体に対するロック部材の閉状態を図１２のＥ方向から見た図である。図１５は、上記ＦＰＣコネクタに接続用ＦＰＣを接続した状態の上記ＦＰＣコネクタの断面図である。
【００７３】
本実施形態のＦＰＣコネクタ７０は、図１１，１５に示すように硬質基板６９に対して直立状態で実装されるコネクタであり、主にコネクタ本体６０と、ロック手段であるロック部材６１と、コネクタ本体６０に保持される複数の接続端子板６２とを有してなる。
【００７４】
上記コネクタ本体６０には、複数の端子収納凹部６０ａと、本体上部に係止部６０ｄと、本体片側と上方側に開口し、Ｈ方向に沿うＵ字状のガイド溝６０ｂと、本体の他の片側に配置されるストッパ６０ｅと、上記ストッパ６０ｅの下部に下方向に延びるロック部材６１をガイドするガイド壁６０ｆとが設けられる。
【００７５】
上記ロック部材６１には、ＦＰＣ押圧部６１ｂをもつ突起状の挿入部６１ａと、コネクタ本体６０の係止部６０ｄに係止可能な爪部６１ｄと、一方の側方に突起部６１ｆを有する腕部６１ｅとが設けられる。
【００７６】
上記ロック部材６１の挿入部６１ａは、初期傾斜状態（図１５の破線で示す）からコネクタ本体６０のガイド溝６０ｂおよび後述する接続端子板６２の凹部６２ｃに挿入され、完全挿入状態（図１５の実線で示す）となる。上記初期傾斜状態にあるとき、上記ロック部材６１の突起部６１ｆがコネクタ本体６０のストッパ６０ｅに当接してロック部材６１の抜け出しが防止される（図１３）。また、上記挿入部６１ａが上記初期傾斜状態から完全挿入状態に移動する際、突起部６１ｆがコネクタ本体６０のガイド壁６０ｆに沿ってガイドされながら移動する。
【００７７】
なお、上記初期傾斜状態にあるとき、突起部６１ｆがストッパ６０ｅに当接しているとき、突起部６１ｆの面取り部がガイド壁６０ｆに接触し、ロック部材６１を図１３に示すように傾斜させることができる。
【００７８】
上記接続端子板６２は、導電材料で形成され、凸状のＦＰＣ接点部６２ａと、基板端子部６２ｂと、凹部６２ｃとが設けられ、コネクタ本体６０の端子収納凹部６０ａ内に固定保持される（図１５）。
【００７９】
上記接続端子板６２の接点部６２ａは、接続接点数分のものがコネクタ本体６０のガイド溝６０ｂのＦＰＣ挿入面から僅かな寸法だけ突出した状態で露出して配置され、コネクタ本体６０の幅方向のＨ方向に沿った端子列（接続端子の配列）を形成する。
【００８０】
上記接続用ＦＰＣ６５は、接続接点数分の接続パターンを有し、接続パターンの裏面側に補強基板６６が貼付されている。
【００８１】
上述した構成を有する本実装形態のＦＰＣコネクタ７０に接続用ＦＰＣ６５を接続するには、まず、ロック部材６１を初期傾斜状態（図１３）の位置に持ち上げる。ロック部材６１は、上記初期傾斜状態の位置にあるとき、接続用ＦＰＣ６５の挿脱経路から退避しており、接続用ＦＰＣ６５は、接続端子板６２の接点部６２ａを避けてＨ方向よりＵ字状のガイド溝６０ｂに沿って挿入される。そこで、ロック部材６１をガイド壁６０ｆに突起部６１ｆをガイドさせながら完全挿入状態（図１５の実線で示す）の位置まで押し込む。上記完全挿入状態では、接続用ＦＰＣ６５の複数の接続パターンが接続端子板６２の凹部６２ｃによりロック部材６１のＦＰＣ押圧部６１ｂを介して押圧され、接続端子板６２の接点部６２ａに当接し、接触し、コネクタ接続状態となる。また、ロック部材６１は、完全挿入状態でコネクタ本体６０に爪部６１ｄにより係止される。
【００８２】
上記接続状態にあるＦＰＣコネクタ７０から接続用ＦＰＣ６５を取り外す場合は、ロック部材６１を上記初期傾斜状態（図１３）の位置に持ち上げる。この状態で接続用ＦＰＣ６５は、Ｈ方向、または、Ｊ方向に沿って抜き取ることができる。
【００８３】
上述した本実装形態のＦＰＣコネクタ７０によると、ＦＰＣコネクタの周囲にロック部材を開閉回動するスペースがない場合に適用可能であって、ロック部材６１を傾斜角度を変化させながら略上、または、下方向に移動させれば、接続用ＦＰＣ６５をＨ方向、または、Ｊ方向より着脱することができる。
【００８４】
上述した各実装形態のＦＰＣコネクタは、硬質基板に直立した状態で実装される縦型のコネクタとして説明しているが、本発明の要旨は、上記硬質基板に実装される縦型のコネクタに限定するものではなく、ＦＰＣ上に実装される縦型のコネクタ、あるいは、硬質基板、または、ＦＰＣに実装される横型のコネクタに対しても同様の構造を適用可能であり、同様の効果が得られる。
【００８５】
【発明の効果】
以上、説明したように本発明によれば、硬質基板、もしくは、ＦＰＣ上に形成されている回路と接続用ＦＰＣ上に形成されている回路とを接続するコネクタにおいて、上記硬質基板、もしくは、ＦＰＣ上に実装されたコネクタの接続端子の配列の並びの方向に平行な方向に上記接続用ＦＰＣを挿入可能な構造を採用しており、接続用ＦＰＣを硬質基板、もしくは、ＦＰＣと接続するためのデッドスペースを最小限に抑えることができ、しかも、組立てやすいフレキシブルプリント基板接続用コネクタ、および、接続用フレキシブルプリント基板を提供することができる。
【図面の簡単な説明】
【図１】本発明の第１実装形態のＦＰＣコネクタと接続用ＦＰＣの斜視図である。
【図２】上記図１のＦＰＣコネクタと接続用ＦＰＣの分解斜視図である。
【図３】上記図１のＦＰＣコネクタに接続用ＦＰＣを接続した状態での斜視図である。
【図４】図３のＹ−Ｙ断面図である。
【図５】上記図１のＦＰＣコネクタを適用した硬質基板をカメラに組み付けたときのＦＰＣコネクタ周りの断面図である。
【図６】本発明の第２実施形態のＦＰＣコネクタと接続用ＦＰＣの分解斜視図である。
【図７】図６のＦＰＣコネクタのロック部材開放状態で接続用ＦＰＣを挿入した状態での断面図である。
【図８】上記図６のＦＰＣコネクタに接続用ＦＰＣを接続した状態を示す斜視図である。
【図９】本発明の第３実装形態のＦＰＣコネクタの接続用ＦＰＣ挿入状態での断面図である。
【図１０】上記図９のＦＰＣコネクタのロック部材を閉じた接続状態でのＦＰＣコネクタの断面図である。
【図１１】本発明の第４実装形態のＦＰＣコネクタに接続用ＦＰＣを接続した状態を示す斜視図である。
【図１２】上記図１１のＦＰＣコネクタのコネクタ本体の斜視図である。
【図１３】上記図１１のＦＰＣコネクタにおいて、コネクタ本体に対するロック部材の開放状態を図１２のＤ方向から見た図である。
【図１４】上記図１１のＦＰＣコネクタにおいて、コネクタ本体に対するロック部材の閉状態を図１２のＥ方向から見た図である。
【図１５】上記図１１のＦＰＣコネクタに接続用ＦＰＣを接続した状態のＦＰＣコネクタの断面図である。
【図１６】従来の縦型フレキシブルプリント基板接続用コネクタと接続用フレキシブルプリント基板の接続挿入状態を示す斜視図である。
【図１７】従来の横型フレキシブルプリント基板接続用コネクタと接続用フレキシブルプリント基板の接続挿入状態を示す斜視図である。
【図１８】上記図１６の従来の縦型フレキシブルプリント基板接続用コネクタを適用する従来の電子機器の１つであるコンパクトカメラの外観を示す斜視図である。
【図１９】上記図１８のカメラ内部の縦型プリント基板コネクタ周りを示す図１８のＡ−Ａ断面図である。
【符号の説明】
２０，４０，５０，７０…ＦＰＣコネクタ（フレキシブルプリント基板接続用コネクタ）
２２，４２，５１，６１…ロック部材（ロック手段）
２４，４４，５４，６２…接続端子板（接続端子）
２４ｃ，４４ｃ…接点部の端子列（接続端子の配列）
２５，４５，５６，６５…接続用ＦＰＣ（接続用フレキシブルプリント基板）
３１，４９，５９，６９…硬質基板（硬質プリント基板）
４１ｃ，４１ｄ，５２ｆ…ガイド溝（溝部）
４１ｅ…突起部
４５ｂ…側方凸部（先端部の凸部）
Ｈ  …端子列の方向（接続端子の配列の並び方向）
【図１】
0003884325.tif 000002
【図２】
0003884325.tif 000003
【図３】
0003884325.tif 000004
【図４】
0003884325.tif 000005
【図５】
0003884325.tif 000006
【図６】
0003884325.tif 000007
【図７】
0003884325.tif 000008
【図８】
0003884325.tif 000009
【図９】
0003884325.tif 000010
【図１０】
0003884325.tif 000011
【図１１】
0003884325.tif 000012
【図１２】
0003884325.tif 000013
【図１３】
0003884325.tif 000014
【図１４】
0003884325.tif 000015
【図１５】
0003884325.tif 000016
【図１６】
0003884325.tif 000017
【図１７】
0003884325.tif 000018
【図１８】
0003884325.tif 000019
【図１９】
0003884325.tif 000020